(57)【要約】【課題】本発明の課題は、尿と便の各々だけの場合の測定のみならず、両者が混在した場合も、各々を分別して測定し、各々の量を算出して出力することが可能な尿と便を分別した重量測定方法とその装置を提供することである。【解決手段】本発明によれば、求めた便水分率ｒと尿と便の全体の重量Ｍと水分だけの重量ＷH2O又は、便の固形物重量Ｈから、尿と便の各々を求めることが可能とした。【選択図】図１
2019184478.tif 000002
【特許請求の範囲】
【請求項１】
尿と便の各々だけの場合の測定のみならず、両者が混在した場合も、各々を分別して測定することが可能な方法であって、尿と便の全重量Ｍを測定する工程と、便の部分の状態を把握して、前記状態に対応する便部水分率ｒを決める工程、又は便状態を把握せずに一定の値を便部水分率ｒとして設定する工程と、尿と便の水分量ＷH2Oの測定工程又は水分を除去された後の便の固形物重量Ｈの測定工程とを有し、各測定工程から得られたＭ、ｒ、ＷH2O又はＨから、尿重量Ｕ又は／及び便重量ＭBを以下の式により計算し、計算値を出力することを特徴とする尿と便を分別した重量測定方法。
尿重量計算Ｕ＝（ＷH2O−ｒＭ）／（１−ｒ）
便重量計算ＭB＝（Ｍ−ＷH2O）／（１−ｒ）
便重量計算ＭB＝Ｈ／（１−ｒ）
尿重量計算Ｕ＝Ｍ−ＭB＝Ｍ−Ｈ／（１−ｒ）
【請求項２】
前記便部水分率ｒを決める工程は、前記便の固い状態から下痢便状態までの複数の状態に対応して前記便部水分率ｒが予め定められた便状態と便部水分率対応テーブルを参照して、前記便状態に対応する前記便部水分率ｒを決めるか、選択可能な便状態選択ボタンにより、
前記便状態に対応して便部水分率選択テーブルから便部水分率を決めるか、又は前記便部水分率ｒの値を直接入力して決めるか、又は、便状態を把握せずに一定の値を便部水分率ｒとして設定するか、
のいずれかであることを特徴とする請求項１記載の尿と便を分別した重量測定方法。
【請求項３】
前記水分量ＷH2Oの測定は、水分により強度が減衰する電磁波の電磁波照射手段により既知の強度の前記電磁波を前記尿と便に照射し、電磁波受波手段により反射又は透過した前記電磁波を受けて、前記電磁波の強度の変化から求めることを特徴とする請求項１又は請求項２記載の尿と便を分別した重量測定方法。
【請求項４】
尿と便の各々だけの場合の測定のみならず、両者が混在した場合も、各々を分別して測定することが可能な装置であって、尿と便の全重量Ｍを測定する手段と、便の部分の状態を把握して前記状態に対応する便部水分率ｒを決める、或いは、便状態を把握せずに一定の値を便部水分率ｒとして設定する便部水分率ｒ決定手段と、尿と便の水分量ＷH2Oの測定する水分重量ＷH2O測定手段と、又は水分除去手段により水分を除去された後の便の固形物重量Ｈを測定する便固形部重量測定Ｈ測定手段と、各測定から得られたＭ、ｒ、ＷH2O又はＨから、尿重量Ｕ又は／及び便重量ＭBを以下の式により計算する尿・便  重量計算手段と、前記計算により得られた計算値を出力する出力手段とを有することを特徴とする尿と便を分別した重量測定装置。
尿重量計算Ｕ＝（ＷH2O−ｒＭ）／（１−ｒ）
便重量計算ＭB＝（Ｍ−ＷH2O）／（１−ｒ）
便重量計算ＭB＝Ｈ／（１−ｒ）
尿重量計算Ｕ＝Ｍ−ＭB＝Ｍ−Ｈ／（１−ｒ）
【請求項５】
前記便部水分率ｒを決める便部水分率ｒ決定手段は、前記便の固い状態から下痢便状態までの複数の状態に対応して前記便部水分率ｒが予め定められた便状態と便部水分率対応テーブルを備え、前記便状態と便部水分率対応テーブルを参照して、前記便状態に対応する前記便部水分率ｒを決めるか、
選択可能な便状態選択ボタンと便状態選択ボタンに対応した前記便部水分率選択テーブルを備え、前記便状態選択ボタンの選択により、前記便状態に対応して前記便部水分率ｒを決めるか、又は数値入力手段を備え、前記便部水分率ｒの値を直接入力して決めるか、
又は、便状態を把握せずに一定の値を便部水分率ｒとして設定するか、
のいずれかを行うものであることを特徴とする請求項４記載の尿と便を分別した重量測定装置。
【請求項６】
前記水分量ＷH2Oの測定手段は、水分により強度が減衰するものであって、既知の強度の電磁波を前記尿と便に照射する電磁波照射手段と、前記尿と便により反射又は透過した前記電磁波を受ける電磁波受波手段とを有し、前記電磁波受波手段により得られた、前記電磁波の強度の変化から前記水分量ＷH2Oを求めることを特徴とする請求項４又は請求項５記載の尿と便を分別した重量測定装置。
【発明の詳細な説明】
【技術分野】
【０００１】
本発明は、尿（小便）と便（大便）を分別した重量測定方法とその装置に関するものである。
【背景技術】
【０００２】
尿量の測定方法は、蓄尿瓶やプラスチックバックに集めた尿をメスシリンダーや重量計等で測定する方法、自動尿量測定器で計測する方法、便器の内部に取り付け外しできる容器で測定する方法が知られている。他に、特許文献１では、蓄尿容器に６００〜８００ｎｍに吸収を持つ物質を添加しておき、蓄尿後にその物質の濃度を測定する方法、これと同様に特許文献２では、酵素基質を含有させ、蓄尿後にこの濃度を計る方法、特許文献３では、直接便器内に尿捕集のボウルを備えて、排泄前後のボウル内の水位に基づき排泄物量を算出する方法が知られている。近年、尿と大便を区別してその量を測定することが望まれているが、そのような要望に対応できるものは、先行技術では、見当たらない。
【先行技術文献】
【特許文献】
【０００３】
【特許文献１】特開２０００−２８３９８１
【特許文献２】特許第４７７１３０２号
【特許文献３】特開２０１４−１６９５３４
【発明の概要】
【発明が解決しようとする課題】
【０００４】
本願の課題は、尿と便の各々だけの場合の測定のみならず、両者が混在した場合も、各々を分別して測定し、各々の量を算出して出力することが可能な尿と便を分別した重量測定方法とその装置を提供することである。
【課題を解決するための手段】
【０００５】
尿と便の全重量Ｍを測定することと、便の部分の状態を把握して前記状態に対応する便部水分率ｒを決めることと、尿と便の水分量ＷH2Oの測定すること又は水分を除去された後の便の固形物重量Ｈの測定することから尿と便を分別した計算結果を得るものであり、以下請求項に沿い記述する。
【０００６】
請求項１記載の発明は、尿と便を分別した重量測定方法であって、
尿と便の各々だけの場合の測定のみならず、両者が混在した場合も、各々を分別して測定することが可能な方法であって、尿と便の全重量Ｍを測定する工程と、便の部分の状態を把握して、前記状態に対応する便部水分率ｒを決める工程、又は便状態を把握せずに一定の値を便部水分率ｒとして設定する工程と、尿と便の水分量ＷH2Oの測定工程又は水分を除去された後の便の固形物重量Ｈの測定工程とを有し、各測定工程から得られたＭ、ｒ、ＷH2O又はＨから、尿重量Ｕ又は／及び便重量ＭBを以下の式により計算し、計算値を出力することを特徴とする。
尿重量計算Ｕ＝（ＷH2O−ｒＭ）／（１−ｒ）
便重量計算ＭB＝（Ｍ−ＷH2O）／（１−ｒ）
便重量計算ＭB＝Ｈ／（１−ｒ）
尿重量計算Ｕ＝Ｍ−ＭB＝Ｍ−Ｈ／（１−ｒ）
【０００７】
請求項２記載の発明は、請求項１記載の尿と便を分別した重量測定方法において、
前記便部水分率ｒを決める工程は、前記便の固い状態から下痢便状態までの複数の状態に対応して前記便部水分率ｒが予め定められた便状態と便部水分率対応テーブルを参照して、前記便状態に対応する前記便部水分率ｒを決めるか、選択可能な便状態選択ボタンにより、
前記便状態に対応して便部水分率選択テーブルから便部水分率を決めるか、又は前記便部水分率ｒの値を直接入力して決めるか、又は、便状態を把握せずに一定の値を便部水分率ｒとして設定するか、
のいずれかであることを特徴とする。
【０００８】
請求項３記載の発明は、請求項１又は請求項２記載の尿と便を分別した重量測定方法において、前記水分量ＷH2Oの測定は、水分により強度が減衰する電磁波の電磁波照射手段により既知の強度の前記電磁波を前記尿と便に照射し、電磁波受波手段により反射又は透過した前記電磁波を受けて、前記電磁波の強度の変化から求めることを特徴とする。
【０００９】
請求項４記載の発明は、尿と便を分別した重量測定装置であって、
尿と便の各々だけの場合の測定のみならず、両者が混在した場合も、各々を分別して測定することが可能な装置であって、尿と便の全重量Ｍを測定する手段と、便の部分の状態を把握して前記状態に対応する便部水分率ｒを決める、或いは、便状態を把握せずに一定の値を便部水分率ｒとして設定する便部水分率ｒ決定手段と、尿と便の水分量ＷH2Oの測定する水分重量ＷH2O測定手段と、又は水分除去手段により水分を除去された後の便の固形物重量Ｈを測定する便固形部重量測定Ｈ測定手段と、各測定から得られたＭ、ｒ、ＷH2O又はＨから、尿重量Ｕ又は／及び便重量ＭBを以下の式により計算する尿・便  重量計算手段と、前記計算により得られた計算値を出力する出力手段とを有することを特徴とする。
尿重量計算Ｕ＝（ＷH2O−ｒＭ）／（１−ｒ）
便重量計算ＭB＝（Ｍ−ＷH2O）／（１−ｒ）
便重量計算ＭB＝Ｈ／（１−ｒ）
尿重量計算Ｕ＝Ｍ−ＭB＝Ｍ−Ｈ／（１−ｒ）
【００１０】
請求項５記載の発明は、請求項４記載の尿と便を分別した重量測定装置において、
前記便部水分率ｒを決める便部水分率ｒ決定手段は、前記便の固い状態から下痢便状態までの複数の状態に対応して前記便部水分率ｒが予め定められた便状態と便部水分率対応テーブルを備え、前記便状態と便部水分率対応テーブルを参照して、前記便状態に対応する前記便部水分率ｒを決めるか、
選択可能な便状態選択ボタンと便状態選択ボタンに対応した前記便部水分率選択テーブルを備え、前記便状態選択ボタンの選択により、前記便状態に対応して前記便部水分率ｒを決めるか、又は数値入力手段を備え、前記便部水分率ｒの値を直接入力して決めるか、
又は、便状態を把握せずに一定の値を便部水分率ｒとして設定するか、
のいずれかを行うものであることを特徴とする。
【００１１】
請求項６記載の発明は、請求項４又は請求項５記載の尿と便を分別した重量測定装置において、前記水分量ＷH2Oの測定手段は、水分により強度が減衰するものであって、既知の強度の電磁波を前記尿と便に照射する電磁波照射手段と、前記尿と便により反射又は透過した前記電磁波を受ける電磁波受波手段とを有し、前記電磁波受波手段により得られた、前記電磁波の強度の変化から前記水分量ＷH2Oを求めることを特徴とする。
【発明の効果】
【００１２】
以上の様に構成されているので、本発明による尿と便を分別した重量測定方法とその装置では、尿と便が混在した場合にあっても、測定から各々の量を算出し出力するので、量的な把握ができ、病院、介護施設等での患者の病態管理に有効である。
【図面の簡単な説明】
【００１３】
【図１】本発明にかかる尿と便を分別した重量測定方法の測定フローの一実施態様を示す図である。
【図２】本発明にかかる尿と便を分別した重量測定方法及びその装置の便部水分率ｒ決定手段の一実施態様を示す図である。
【図３】本発明にかかる尿と便を分別した重量測定方法の測定フローの内、水分（重）量の測定値から尿と便の各量を計算する方法のフローの一実施態様を示す図である。
【図４】本発明にかかる尿と便を分別した重量測定方法の測定フローの内、水分（重）量の測定値から尿と便の各量を計算する方法のフローに対応した装置構成の一実施態様を示す図である。
【図５】図４の装置の水分（重）量測定手段の一実施態様を示す図である。
【図６】図５の水分（重）量測定手段を用いた、図４の装置の一実施態様を示す図である。
【図７】本発明にかかる尿と便を分別した重量測定方法の測定フローの内、便固形部（重）量の測定値から尿と便の各量を計算する方法のフローの一実施態様を示す図である。
【図８】本発明にかかる尿と便を分別した重量測定方法の測定フローの内、便固形部（重）量の測定値から尿と便の各量を計算する方法のフローに対応した装置構成の一実施態様を示す図である。
【図９】尿と便が混在する状態を示す図
【発明を実施するための形態】
【００１４】
図1は、本発明にかかる尿と便を分別した重量測定方法の測定フローの一実施態様を示す図である。図９に示すように尿と便が混在している場合に分別して測定することが一番難しい。先ず図９において、オムツや水分吸収シート、採便・採尿容器等の尿便受け体２１０と尿２２０と便２３０が混在状態を示す。
図２は、本発明にかかる尿と便を分別した重量測定方法及びその装置の便部水分率ｒ決定手段の一実施態様を示す図である。
本願では、便の状態（便秘などかなり固め、普通、下痢など水っぽい）を把握する工程を取る。一般に便は、２−Ｃに示すように、便状態により、水分の量が、便秘などかなり固めで７０％、普通で８０％、下痢状態で９０％と言われる。これらの事情をまず説明する。オムツや水分吸収シート、採便・採尿容器等の尿便受け体２１０に尿２２０と便２３０が混在していたとする。このような状態を医者や看護人が見れば、便の状態を見て、おおよその水分率を判断は容易である。２−Ｂにおいては、便状態の把握を人的に行った場合の便部水分率ｒ決定手段を示す。医者や看護人など人的に便部を見れば、固い便か、普通の便か、下痢状の便か、或いは、それらの中間の状態か、一目瞭然であるから、例えば、下痢状態なら、それに対応する便状態選択ボタン２４０を押す。押された便状態選択ボタン２４０の出力により水分率選択テーブル２５０のなかから対応する便部水分率ｒが決定され出力され、後の計算に用いられる。例えば、下痢状態に対応するボタンが押され、便部水分率ｒは０．９として決定される。
【００１５】
２−Ａにおいては、機械的な判断の例である。
もっとも容易なのは、便２３０の画像を撮影することである。
画像等便状態出力（この図ではカメラによる映像）は、便部水分率ｒ決定手段４１０に入力される。
尿２２０部と便２３０部は、便部水分率ｒ決定手段４１０内の便部特定手段２６０でパターンマッチングすれば、容易に分別できる。尿２２０部は、水分だけで構成されているし、固形部を含んだ部分は、便２３０部と判断すればよい。便２３０部の映像は、便部水分率ｒ決定手段４１０内の便状態と水分率対応テーブル２７０のデータを参照して、便状態が同じか近い状態の便部水分率ｒを求める。これを行うのが、便状態マッチング手段２８０である。その結果が出力され、後の計算に使われる。
尚、医者や看護人などが、便状態から適当と思われる便部水分率ｒの値自体を直接入力することも可能である。
上記の３段階の値でも誤差は少ないが、予め、色々な既知（計測されて）の便部水分率ｒの便状態を比較のための値として用意することもでき、測定精度を上げることができる。
例えば、便部の全重量２００ｇとして、普通状態と固い又は、下痢状態を入れた水分の量は、１６０±２０ｇ（１２％）に過ぎない。従って、３段階でも十分な精度で計算に使えるのである。従って、上記の１２％の誤差を許容すれば、便部水分率ｒを０．８と固定した値に設定して計算することも可能であり、その場合には、便状態の把握を省くこともでき便利である。
【００１６】
このように、便状態を把握した後では、便部水分率ｒが求まるので、これを使い計算を行う。再び、図１に戻る。
次に、尿と便の全体の重量Ｍを計る。
その後、尿と便の水分重量ＷH2O又は、便の固形物重量Ｈを計る。前者では、水分のみを検出する測定が必要であり、図３で説明する。後者では、尿を含む水分の除去を行った後、固形分の重量を計る。この場合は、図７で説明する。いずれの測定も、尿便受け体２１０の重量は、既知であるため、これを差し引いた正味の重量値であることは当然である。
次に、尿重量Ｕと便重量ＭBを算出する。算出に使う式は図1に示される通りである。
計算した結果を出力手段により出力する。
このようにして、尿と便が混在した場合も、両者を分別して各々の重量を求めることができる。
【００１７】
図３は、本発明にかかる尿と便を分別した重量測定方法の測定フローの内、水分重量の測定値から尿と便の各量を計算する方法のフローの一実施態様を示す図である。
この測定の長所は、水分を除去することが必要なく、短時間で測定可能なことである。
図１で説明した、便部水分率ｒの決定と、尿と便の全体重量Ｍの測定は、同じである。尿と便の水分重量ＷH2Oの測定を行う。これができれば、尿重量Ｕと便重量ＭBを算出する。算出に使う式は図３に示される通り、
尿重量計算Ｕ＝（ＷH2O−ｒＭ）／（１−ｒ）
便重量計算ＭB＝（Ｍ−ＷH2O）／（１−ｒ）である。
計算結果を出力する。
水分だけの重量ＷH2Oの測定は、どのように行うのがよいか、その例を図５を使い説明する。図５は、図４の装置の水分重量測定手段の一実施態様を示す図である。
【００１８】
載置台５１０の上に、尿便受け体２１０上に尿２２０と便２３０が混在して、存在している。電磁波照射手段５２０から既知の強度の電磁波が照射され、尿便受け体２１０、尿２２０と便２３０を透過する。尿便受け体２１０と載置台５１０と便固体は、電磁波に対して吸収性でないか、有っても水より弱い。電磁波としては、マイクロ波、ミリ波、テラヘルツ波が水に吸収される。図の真ん中には、水の無い場合を参照基準にして、水分量に応じた吸収があることを示す。すなわち、水分量に応じて電波強度が低下する。右には、この傾向を示している。このように、電磁波の吸収量（電磁波強度の低下量）から水分だけの重量ＷH2Oを測定できる。既知の水分量に対して較正すれば、重量が求まる。特に、電子レンジに使われるマイクロ波が使用して都合がいい。水を加熱して昇温することが目的ではないので、弱い強度で瞬時に測定が可能である。尚、載置台５１０の下側に電磁波受波手段５３０を設けたが、反射波を測定すれば、載置台５１０の上側に電磁波受波手段５３０を設けることができる。電磁波受波手段５３０は、水による吸収がされたあとの電磁波の強度を測定するものである。尚、載置台５１０以外に、オムツや水分吸収シート、採便・採尿容器等の尿便受け体２１０は、電磁波の吸収性が低く透過性であることがよいのは当然である。
【００１９】
図４は、本発明にかかる尿と便を分別した重量測定方法の測定フローの内、水分重量の測定値から尿と便の各量を計算する方法のフローに対応した装置構成の一実施態様を示す図である。
便部水分率ｒ決定手段４１０、尿・便全体重量Ｍ測定手段４２０、水分重量ＷH2O測定手段４３０、便重量ＭB・尿重量Ｕ計算手段４４０、出力手段４５０を備えている。いずれも、前述したことなので説明を省略する。便部水分率ｒ決定手段４１０は、図２で説明したことであり、水分率ｒ割当手段４１１は、便状態把握手段４１２による便状態に対応した便部水分率ｒを割り当てる。
【００２０】
図６は、図５の水分重量WH2O測定手段を用いた、図４の装置の一実施態様を示す図である。
載置台５１０の上に、尿２２０と便２３０が載った尿便受け体２１０を載せる。搭載センサー６１０がこれを感知して、便部水分率ｒ決定手段４１０を構成するカメラ６２０を駆動して、便２３０から便部水分率ｒを求める。勿論、カメラを搭載センサ６１０とすることもできる。次いで電磁波により水分重量WH2O測定手段を通過して、水分だけの重量ＷH2Oを測定する。尿と便の全体の重量Ｍの測定は、重量測定手段６３０において、どの時点で行ってもよい。重量測定手段６３０は、通常の重量計りが使える。
水分だけの重量ＷH2Oと尿と便の全体の重量Ｍから便重量ＭB・尿重量Ｕ計算手段４４０により、尿重量Ｕと便重量ＭBの各々が求められ、印刷、表示等の出力手段６７０に出力される。
制御器６００は、上記の手段の動作制御部６０３、便状態と便部水分率ｒの対応データ、計算結果を記憶するデータメモリ６０１、外部との間のデータの外部インターフェース６０２等を有する。
尚、測定の終わった尿２２０と便２３０が載った尿便受け体２１０は、廃棄カゴ６４０に捨てられる。また、載置台５１０は、図のようにベルトコンベア又はその他の移動手段で構成してもよい。
【００２１】
図７は、本発明にかかる尿と便を分別した重量測定方法の測定フローの内、便固形部（重）量の測定値から尿と便の各量を計算する方法のフローの一実施態様を示す図である。
図３との違いは、水分重量WH2O測定の代わりに、便の固形物重量Ｈを計ることであり、その結果として、便重量計算ＭBと尿重量計算Ｕは、図７に示す式で求められ、
便重量計算ＭB＝Ｈ／（１−ｒ）
尿重量計算Ｕ＝Ｍ−ＭB＝Ｍ−Ｈ／（１−ｒ）である。
計算値が出力される。
便の固形物重量Ｈを計るためには、水分除去をしてから重量を測定する。水分除去のための処理として、遠心分離や高温加熱がよく知られているので使用できる。
図８は、本発明にかかる尿と便を分別した重量測定方法の測定フローの内、便固形部（重）量の測定値から尿と便の各量を計算する方法のフローに対応した装置構成の一実施態様を示す図である。図４との違いは、便固形部重量測定Ｈ測定手段８１０と水分除去手段８２０が水分重量ＷH2O測定手段４３０に置き換わっている点である。
【００２２】
尿又は便が混在せず、単独である場合にも、水分重量WH2O、便の固形物重量Ｈから計算を行う両者とも、計算式は使える。例えば、水分重量WH2Oから求める場合で、尿のみの場合では、固形物はないので、ｒ＝０、尿量Ｕ＝WH2O、WH2Oは、Ｍに等しい。ＭB＝０となり、式は満足されている。逆に、便のみの場合、便の重量ＭBは全重量Ｍに等しい。
便の水分は、ｒＭB＝ｒＭであるから、尿重量Ｕ＝WH2O―ｒＭ＝０（両者は等しいため）、
便重量ＭB＝（Ｍ−ＷH2O）／（１−ｒ）＝（Ｍ−ｒＭ）／（１−ｒ）＝Ｍとなり、前重量Ｍが便の重量になる。これも式が満足されている。
今度は、便の固形物重量Ｈから求める場合で、尿のみの場合では、固形物はないので、ｒ＝０、又、Ｈ＝０であるので、ＭB＝０、尿量Ｕ＝Ｍとなり、尿量Ｕは、全重量になる。
これも式が満足されている。逆に、便のみの場合は、便重量ＭＢは全重量Ｍに等しいので、尿重量Ｕ＝０となり、便重量ＭB＝Ｈ／（１−ｒ）で計算され、式が満足されている。
【産業上の利用可能性】
【００２３】
以上のように本発明にかかる尿と便を分別した重量測定方法とその装置では、両者が混在した場合でも、両者の量を区別して把握できるので、医療や介護等の患者の状態管理に使用され、産業上利用して極めて好都合である。
【００２４】
２１０  尿便受け体
２２０  尿
２３０  便
２４０  便状態選択ボタン
２５０  水分率選択テーブル
２６０  便部特定手段
２７０  便状態と水分率対応テーブル
２８０  便状態マッチング手段
４１０  便部水分率ｒ決定手段
４１１  水分率ｒ割当手段
４１２  便状態把握手段
４２０  尿・便全体重量Ｍ測定手段
４３０  水分重量ＷH2O測定手段
４４０  便重量ＭB・尿重量Ｕ計算手段
４５０、６７０  出力手段
５１０  載置台
５２０  電磁波照射手段
５３０  電磁波受波手段
６００  制御器
６１０  搭載センサー
６２０  カメラ
６３０  重量測定手段
６４０  廃棄カゴ
６０１  データメモリ
６０２  外部インターフェース
６０３  動作制御部
８１０  便固形部重量測定Ｈ測定手段
８２０  水分除去手段
【図１】
2019184478.tif 000003
【図２】
2019184478.tif 000004
【図３】
2019184478.tif 000005
【図４】
2019184478.tif 000006
【図５】
2019184478.tif 000007
【図６】
2019184478.tif 000008
【図７】
2019184478.tif 000009
【図８】
2019184478.tif 000010
【図９】
2019184478.tif 000011